(57)【要約】【課題】従来の呼吸センサは、実験者が被験者の体型や装着感に適切に対応して呼吸センサを胴体に装着し、検知部の初期値を定めることは困難であり計測精度を高めることができないという問題があった。これは、検知部とバンド部とが連結、一体化されていることによるものである。【解決手段】  呼吸運動としての胸壁と腹壁の運動を胸部や腹部の胴体表面における周囲長の変化に変換する伸縮性部材を備えたベルト部と、伸縮性部材の伸縮を長さの単位で計測するセンサ部の２つの異なる機能的要素で構成し、面ファスナーを利用してセンサ部を着脱可能な仕方でベルト部に付設するようにすることにより、ベルト部の装着が容易となり、かつ装着の様態が実験者間あるいは実験者内で異なっても、計測時の初期値を正確に設定し読み取ることができる。【選択図】図１
2008253714.tif 000002
【特許請求の範囲】
【請求項１】
胴体に装着して胸壁と腹壁の運動を胸部や腹部の胴体表面における周囲長の変化に変換する伸縮性部材を備えたベルト部と、伸縮性部材の伸縮を長さの単位で計測するセンサ部の２つの異なる機能的要素で構成し、面ファスナーを利用してセンサ部を着脱可能な仕方でベルト部に付設するようにした呼吸運動モニタピックアップ。
【発明の詳細な説明】
【技術分野】
【０００１】  本発明は、生体の呼吸ポンプとして機能する胸壁と腹壁の運動を、胸部や腹部などの胴体表面における周囲長の変化に変換して検出するピックアップに関する。
【背景技術】
【０００２】  従来の呼吸センサには、伸縮性を有する検知部と非伸縮性のバンド部を連結して一体化し、胴体を一周する環状をなすように構成して、呼吸による胴体の拡縮に応じて検知部が伸縮することを利用するなどして呼吸を検出するものがある（たとえば、特許文献１・２参照。）。
また、バンドに相当する部分を非伸縮性の胴衣の形状として前開き部分に伸縮性の検知部を装着することにより、胴体を周回する環状を構成するようにしたものもある（たとえば、特許文献３参照。）。【０００３】  以下、図５、図６により従来の呼吸センサについて説明する。図５において、１０は検知部であり、たとえば炭素微粉や水銀を充填したゴム管の伸縮に際して電気抵抗が変化する検知部である。検知部の両端はバンド部１１の両端と連結されており、検知部は環状を構成するうえで不可欠の一部となっている。
また、図６において、１２は筐体の形状をした検知部であり、バンド部１１の一端は筐体内部に支点を設けたコイルばねに連結、あるいはぜんまいばねを利用した回転ドラムに連結され、バンド部の他端は筐体外部に固定されている。検知部は、呼吸に応じて、ばねの弾性により伸縮するコイルばねの伸縮の程度、あるいはぜんまいばねを介して回転するドラムの回転角を筐体内部に収納したエンコーダなどで計測するものである（たとえば、特許文献２参照。）。
【特許文献１】  実開平３−５６４１０
【特許文献２】  特開２００１−１７４０９
【特許文献３】  特開平１０−９９２９９
【発明の開示】
【発明が解決しようとする課題】
【０００４】  以上に述べた従来の呼吸センサでは、伸縮性を有する検知部と非伸縮性のバンド部とを連結して一体化し、胴体部に常に密着して環状をなすように構成することが必要不可欠であることから、実験者が被験者の体型や装着感に適切に対応して呼吸センサを装着し検知部の初期値を定めることは困難であり、計測精度を高めることができないという問題点があった。【０００５】  本発明は、このような従来の構造が有していた問題を解決しようとするものであり、検知部の初期値を容易にかつ正確に設定することを可能とし、かつ装着手順を簡便にすることにより再現性に優れた計測精度の高い呼吸運動モニタ用ピックアップを実現することを目的とするものである。
【課題を解決するための手段】
【０００６】  本発明は上記の目的を達成するために、胴体に装着して胸壁と腹壁の運動を胸部や腹部の胴体表面における周囲長の変化に変換する伸縮性部材を備えたベルト部と、伸縮性部材の伸縮を長さの単位で計測するセンサ部という２つの異なる機能的要素で構成し、面ファスナーを利用してセンサ部を着脱可能な仕方でベルト部に付設するようにしたものである。【０００７】  上記の課題解決手段による作用は次の通りである。すなわち、呼吸運動にともなう胴体表面における周囲長の変化は、伸縮性部材と非伸縮性部材から成るベルト部の伸縮性部分に集約される。ベルト部からセンサ部を独立させることにより、ベルト部の装着後に、ベルト部の伸縮性部材を挟む位置にセンサ部を面ファスナーで付設するため、ベルト部の装着の様態が実験者間あるいは実験者内で異なっても、容易かつ正確に初期値を設定することが可能となる。
【発明の効果】
【０００８】  上述したように本発明の呼吸運動モニタピックアップは、装置を機能的、構造的に二分することにより、実験者は初期値設定の困難さに煩わされることなくベルト部を被験者の胴体表面に容易に密着して装着することができる。ベルト装着後に、センサ部を伸縮部材の伸びに合わせて面ファスナーで付設するため、計測時の初期値を正確に設定し読み取ることができ、計測精度の高いピックアップを提供できる。
【発明を実施するための最良の形態】
【０００９】  以下、本発明の実施の形態を図１〜図４に基づいて説明する。【００１０】  図においては、１は胴体表面に密着して装着するベルト部の非伸縮性部材、２はゴム弾性を有する溥膜帯状伸縮性部材であり、硬質の接続具３を介して非伸縮性部材に接続されている。４はベルト着脱のためのベルト両端に貼付された面ファスナー、５はベルトのズレをふせぐ保持具、６はセンサ着脱のための面ファスナーである。また、７はワイヤー式リニアエンコーダ本体、８はワイヤー、９はワイヤーの固定具である。【００１１】  以下、上記構成の作用を説明する。まずベルト部を被験者の胴体表面に密着して装着するにあたってベルトの一端をズレ防止のための保持具を通して面ファスナーで圧着するが、センサ部は独立しているのでセンサにかかる負荷に配慮する必要がなく、被験者に無用な圧迫感や不快感を生じない適度な張力をもたせて容易に装着することが可能となる。【００１２】  また、センサ部は、ベルト部を装着した後に、ワイヤー式リニアエンコーダ本体７とワイヤー固定具９を、ベルト部の伸縮性部材２を挟む位置に貼付されているセンサ部着脱面ファスナー６により付設するので計測時の初期値を容易かつ正確に設定し読み取ることができる。以上のように、本実施形態によれば簡便で計測精度の高いピックアップが得られるものである。
【図面の簡単な説明】
【００１３】
【図１】  本発明の実施形態を示す呼吸運動モニタピックアップの外観図
【図２】  同ベルト部表面を示す展開図
【図３】  同ベルト部裏面を示す展開図
【図４】  同センサ部とセンサ着脱面ファスナーを示す部分図
【図５】  従来のゴム管形検知部とバンド部を一体化した呼吸センサの概念図
【図６】  従来の筐体形検知部とバンド部を一体化した呼吸センサの概念図
【符号の説明】
【００１４】  １  ベルト部非伸縮性部材
２  ベルト部伸縮性部材
７  ワイヤー式リニアエンコーダ本体
８  ワイヤー式リニアエンコーダのワイヤー
９  ワイヤー式リニアエンコーダのワイヤー固定具
【図１】
2008253714.tif 000003
【図２】
2008253714.tif 000004
【図３】
2008253714.tif 000005
【図４】
2008253714.tif 000006
【図５】
2008253714.tif 000007
【図６】
2008253714.tif 000008